【事件の表示】
　特願２０１１−１５２６５３「マルチキャリア通信における符号化信号を送信する情報送信方法」拒絶査定不服審判事件〔平成２３年１２月　８日出願公開、特開２０１１−２５０４５１〕について、次のとおり審決する。
【結　論】
　本件審判の請求は、成り立たない。
【理　由】
第１．手続の経緯
　
　本願は、２００７年１月１１日（優先権主張平成１８年５月３１日　日本国）を国際出願日とする特願２００８−５１７７８５号の一部を、平成２３年７月１１日に新たな特許出願としたものであって、平成２５年４月１５日付けで拒絶査定がなされ、これに対して同年７月１９日に拒絶査定に対する審判請求がなされるとともに同日付けで手続補正がなされたものである。
　
　
第２．補正却下の決定
［結論］
  平成２５年７月１９日付けの手続補正を却下する。
　
　
［理由］
１．本願発明と補正後の発明
　
  上記手続補正（以下、「本件補正」という。）は、平成２５年１月２８日付け手続補正書の特許請求の範囲の請求項１に記載された
　
「【請求項１】
　複数のキャリアを用いて送信機と受信機とが通信を行い、１または複数のキャリア及び１または複数の時間シンボルを含むリソースブロック単位に信号を分割し、誤り訂正符号を用いて符号化した信号を送信する情報送信方法であって、
　上記リソースブロックごとに、複数個の上記誤り訂正符号を用いて符号化した信号の一部を割り当ててそれぞれ時間・周波数にマッピングし、
　上記リソースブロック内の一部の時間・周波数にパイロット信号を割り当てて送信し、
　上記誤り訂正符号を用いて符号化した信号の一部の時間・周波数へのマッピングは、上記パイロット信号の割り当てと独立であることを特徴とする情報送信方法。」
　
　という発明（以下、「本願発明」という。）を、
　
「【請求項１】
　複数のキャリアを用いて送信機と受信機とが通信を行い、１または複数のキャリア及び１または複数の時間シンボルを含むリソースブロック単位に信号を分割し、誤り訂正符号を用いて符号化した信号を送信する情報送信方法であって、
　上記リソースブロックごとに、複数個の上記誤り訂正符号を用いて符号化した信号の一部を割り当ててそれぞれ時間・周波数にマッピングし、
　上記リソースブロック内の一部の時間・周波数にパイロット信号を割り当てて送信し、
　上記誤り訂正符号を用いて符号化した信号の一部の時間・周波数へのマッピングにおいてどの信号がどの時間・周波数にマッピングされるかは、上記パイロット信号の割り当てにおいて上記パイロット信号がどの時間・周波数にマッピングされるかによらず不変であり、かつ、上記パイロット信号がどの時間・周波数にマッピングされるかは、上記符号化した信号の一部の時間・周波数へのマッピングに拘束されないことを特徴とする情報送信方法。」
　
　という発明（以下、「補正後の発明」という。）に変更することを含むものである。　　　
　
　
２．補正の適否
　
  （１）新規事項の有無、補正の目的要件
 
　本件補正は、願書に最初に添付した明細書、特許請求の範囲又は図面に記載した事項の範囲内において、本願発明の「誤り訂正符号を用いて符号化した信号の一部の時間・周波数へのマッピング」における「パイロット信号の割り当てと独立である」に関して、「パイロット信号の割り当てにおいて上記パイロット信号がどの時間・周波数にマッピングされるかによらず不変」と限定し、及び「リソースブロック内の一部の時間・周波数にパイロット信号を割り当て」に関して「パイロット信号がどの時間・周波数にマッピングされるかは、上記符号化した信号の一部の時間・周波数へのマッピングに拘束されない」との構成を付加して限定することにより、特許請求の範囲を減縮するものである。
　したがって、本件補正は、特許法第１７条の２第３項（新規事項）及び平成１８年法律第５５号改正附則第３条第１項によりなお従前の例によるとされる同法による改正前の特許法第１７条の２第４項（補正の目的）の規定に適合している。
　
　
（２）独立特許要件
　
　本件補正は特許請求の範囲の減縮を目的とするものであるから、補正後の発明が特許出願の際独立して特許を受けることができるものであるのかどうかについて以下検討する。
　
　
ア．補正後の発明
 
　上記「１．本願発明と補正後の発明」の項で認定したとおりである。
　
イ．引用発明
 
Ａ．原査定の拒絶の理由に引用された、特表２００６−５１０３１５号公報（以下、「引用例」という。）には図面とともに以下の事項が記載されている。
　
（ア）「【０００１】
　本発明はＯＦＤＭＡ（直交周波数分割多重接続：Orthogonal Frequency Division Multiple Access）を基盤とするセルラーシステムの下向リンク（衛星局から地上局への送信）信号構成のための装置及びその方法に関し、特にＯＦＤＭＡ基盤セルラーシステム下向リンクにおいてパイロットシンボルによって生じる伝送電力使用及びオーバーヘッドを減少させ、全データ伝送率を増加させるための適応型のパイロットシンボル配置及び副搬送波割当ての方法及び装置に関するものである。」（４頁２５〜３１行）
　
（イ）「【００３７】
　ＯＦＤＭＡシステムでは一つの周波数帯域を複数個の副搬送波帯域に分け、割当てられた副搬送波に各使用者のトラフィックチャネルを伝送する。つまり、ＯＦＤＭＡシステムは使用者の移動速度、チャネル環境、トラフィック要求量によって副搬送波帯域を適切に割り当てたり、既に決められた副搬送波帯域を選択した後、伝送に使われるアンテナ数を移動速度、チャネル環境、トラフィック要求量によって定め、追加的に必要なパイロットシンボルを割当てられた副搬送波帯域に配置する。」（８頁３６〜４２行）
　
（ウ）「【００４５】
　図６において、１７個のＯＦＤＭシンボルが１個のスロットを構成しているが、図６は移動速度が低くて時間軸に一つのスロットで一つのパイロットシンボルがあれば、復調することができる場合を示す。」（９頁２０〜２３行）
　
（エ）「【００５５】
　図９はFDDシステムで一部帯域にのみ追加アンテナを使用する場合の下向リンク信号の構成方法の例を示す図面である。
【００５６】
　つまり、図９は、追加アンテナパイロット伝送によるオーバーヘッドを減らすために、一部帯域でのみ第１シンボルに適切な量の追加アンテナ用パイロットシンボルを追加した例を示している。
【００５７】
　図９において、一つの基本アンテナ（アンテナ１）が使用され、第３帯域は追加アンテナを最大３個まで使用可能な帯域であり、第４帯域は追加アンテナを最大１個だけ使える帯域であり、他の帯域は追加アンテナを使用できない帯域である。
図１０は本発明の実施例によるＯＦＤＭＡ基盤セルラーシステムの下向リンク信号構成装置１００を示す図面である。
【００５８】
　下向リンク信号構成装置１００は共通／制御チャネル処理器１１０、基本パイロットシンボル発生器１２０、トラフィックチャネル情報貯蔵器１３０、トラフィックチャネル処理器１４０、チャネル情報、トラフィック要求量、移動速度貯蔵器１５０、伝送使用者及び伝送方式決定器１６０、追加パイロットシンボル発生器１７０及び時間／副搬送波／アンテナマッピング器１８０を含む。
【００５９】
　共通／制御チャネル処理器１１０は共通／制御チャネル情報を符号化、インターリービングして、シンボルにマッピングし、符号化／インターリービング／シンボルマッピングされた共通／制御チャネルシンボルを生成する。基本パイロットシンボル発生器１２０は基本パイロットシンボルを生成する。ここで、基本パイロットシンボルは使用者トラフィックチャネルの伝送方式と関係なく伝送されるパイロットシンボルであり、図６と図９では、スロットの第１OFDMシンボルに伝送されるパイロットシンボルを示す。
【００６０】
　トラフィックチャネル情報貯蔵器１３０は使用者のトラフィックチャネル情報を貯蔵し、チャネル情報、トラフィック要求量、移動速度貯蔵器１５０は使用者のチャネル情報、トラフィック要求量、移動速度情報を貯蔵する。
【００６１】
　伝送使用者及び伝送方式決定器１６０はチャネル情報、トラフィック要求量、移動速度貯蔵器１４０に貯蔵された情報を利用して既に決められた方法によって伝送する使用者と各伝送方式を決める。トラフィックチャネル処理器１４０は前記伝送使用者及び伝送方式決定器１６０で決めた伝送方式によってトラフィックチャネル情報貯蔵器１３０で貯蔵したトラフィックチャネル情報を読取り、読取ったトラフィックチャネル情報を符号化、インターリービングした後、シンボルにマッピングし、符号化／インターリービング／シンボルマッピングされたトラフィックチャネルシンボルを生成する。
【００６２】
　追加パイロットシンボル発生器１７０は各使用者の伝送方式により決定されたアンテナ数と移動速度に応じて追加パイロットシンボルを発生させる。ここで、追加パイロットシンボルは各使用者ごとに基本パイロットシンボルの他に追加的に伝送するパイロットシンボルであり、図６と図９では、スロットの第１OFDMシンボルに伝送されるパイロットシンボルを除いた残りパイロットシンボルである。
【００６３】
　時間／副搬送波／アンテナマッピング器１８０は、共通／制御チャネル処理器１１０で生成された符号化／インターリービング／シンボルマッピングされた共通／制御チャネルシンボル、トラフィックチャネル処理器１３０で生成された符号化／インターリービング／シンボルマッピングされたトラフィックチャネルシンボル、基本パイロットシンボル発生器１２０で生成された基本パイロットシンボル及び追加パイロットシンボル発生器１７０で生成した追加パイロットシンボルに、チャネル別／使用者別のチャネル利得情報を掛け算し、既に決められた方法通りに、各チャネルシンボルを時間、副搬送波、アンテナにマッピングする。」（１０頁３８行〜１１頁４０行）
　
（オ）「【００６４】
　この時、時間／副搬送波／アンテナのマッピング器１８０は（１）追加パイロット個数を予め考慮してトラフィックチャネルシンボルを生成する方法、（２） トラフィックチャネルシンボルの最大個数を生成した後、追加パイロットシンボルを伝送する位置では穴明き状態にする方法、或いは（３）追加パイロットシンボルのうちの一部の個数を予め考慮してトラフィックチャネルシンボルを生成した後、追加パイロットシンボルの残り部分を伝送する位置では穴明き状態にする方法、のいずれかを使用することができる。」（１１頁４１〜４７行）
　
（カ）「【００６５】
　下向リンク信号構成装置１００の出力はOFDM変調器２００a、２００b、…、２００nを通ってOFDM変調され、無線送信部３００a、３００b、…、３００nを通ってD／A変換、周波数上向変換、フィルタリング及び増幅過程を経て各アンテナ４００a、４００b、…、４００nを通って送信される。」
（１１頁４８行〜１２頁行２行）
　　
　上記引用例の記載及び図面並びにこの分野の技術常識を考慮すると、
　
ａ．上記（ア）の記載によれば、引用例にはＯＦＤＭＡシステムの下向リンク信号構成のための方法が記載されている。
　
　まず、図９の信号構成に関して横軸及び縦軸、並びに各枠が何を表しているか不明である。そこで、他の信号構成の例である図６〜図８を参照すると、図７及び図８では縦軸が周波数方向であり、横軸が時間軸方向であるから、図９においても縦軸が周波数方向であり、横軸が時間軸方向といえる。更に、図６に関して上記（ウ）には「１７個のＯＦＤＭシンボルが１個のスロットを構成」すると記載されており、図９においても各枠が「ＯＦＤＭシンボル」であり、横軸の１７個のＯＦＤＭシンボルが１個のスロットを構成するものといえる。
　そして、図９を参照すると、縦軸の周波数方向に５個のＯＦＤＭシンボル及び時間軸方向に１７個のＯＦＤＭシンボルからなるブロック毎に、各使用者の信号が割り当てられていることから、引用例は、周波数方向に５個のＯＦＤＭシンボル及び時間軸方向に１７個のＯＦＤＭシンボルを含むブロックを単位に信号を分割するものである。
　
　上記（エ）の段落【００６１】に記載されるように、トラフィックチャネル情報を符号化、インターリービングした後、シンボルにマッピングし、符号化／インターリービング／シンボルマッピングされたトラフィックチャネルシンボルが生成され、また、上記（エ）及び（カ）の記載によれば、トラフィックチャネルシンボルは時間・副搬送波、アンテナにマッピングされ送信されるものである。
　
　したがって、周波数方向に５個のＯＦＤＭシンボル及び時間軸方向に１７個のＯＦＤＭシンボルを含むブロックを単位に信号を分割し、符号化／インターリービング／シンボルマッピングされたトラフィックチャネルシンボルを送信するＯＦＤＭＡシステムの送信方法が記載されていると認められる。
　
　
ｂ．上記（エ）の記載によれば、図９は図１０の下向リンク信号構成装置による信号構成の例であり、図９を参照すると使用者毎に上記ブロックを割り当て、各ブロック内のＯＦＤＭシンボルに追加パイロットシンボルとトラフィックチャネルシンボルを配置した信号構成が記載されている。
　
　したがって、上記ブロックごとに、複数のトラフィックチャネルシンボルを割り当ててそれぞれ時間・周波数方向のＯＦＤＭシンボルにマッピングし、上記ブロック内の一部の時間・周波数方向のＯＦＤＭシンボルに追加パイロットシンボルをマッピングして送信することが記載されている。
　
　
ｃ．更に、上記（オ）によれば、「追加パイロットシンボル」及び「トラフィックチャネルシンボル」のマッピングを行う「時間／副搬送波／アンテナマッピング器１８０」は、トラフィックチャネルシンボルの最大個数を生成した後、追加パイロットシンボルを伝送する位置では穴明き状態にする方法を使用する。
　　
　したがって、上記トラフィックチャネルシンボルの時間・周波数方向のＯＦＤＭシンボルへのマッピングはトラフィックチャネルシンボルの最大個数を生成した後、追加パイロットシンボルを伝送する位置では穴明き状態にする、ことが記載されている。
　
　
　引用例には、次の発明（以下、「引用発明」という。）が開示されていると認められる。
　
　「周波数方向に５個のＯＦＤＭシンボル及び時間軸方向に１７個のＯＦＤＭシンボルを含むブロックを単位に信号を分割し、符号化／インターリービング／シンボルマッピングされたトラフィックチャネルシンボルを送信するＯＦＤＭＡシステムの送信方法であって、
　上記ブロックごとに、複数のトラフィックチャネルシンボルを割り当ててそれぞれ時間・周波数方向のＯＦＤＭシンボルにマッピングし、
　上記ブロック内の一部の時間・周波数方向のＯＦＤＭシンボルに追加パイロットシンボルをマッピングして送信し、
　上記トラフィックチャネルシンボルの時間・周波数方向のＯＦＤＭシンボルへのマッピングはトラフィックチャネルシンボルの最大個数を生成した後、追加パイロットシンボルを伝送する位置では穴明き状態にする、
　ＯＦＤＭＡシステムの送信方法」
　
ウ．対比・判断
　
　引用発明の「ＯＦＤＭＡシステムの送信方法」は、明らかに「複数のキャリアを用いて送信機と受信機とが通信を行」う「情報送信方法」である。
　
　更に、引用発明の「周波数方向に５個のＯＦＤＭシンボル及び時間軸方向に１７個のＯＦＤＭシンボルを含むブロック」は、周波数方向の複数の構成単位、及び時間軸方向の複数の構成単位からなるブロックであるから、補正後の発明の「１または複数のキャリア及び１または複数の時間シンボルを含むリソースブロック単位」と、「１または複数のキャリア及び１または複数の時間シンボルを含むブロック単位」で共通する。　　
　
　引用発明の「符号化／インターリービング／シンボルマッピングされたトラフィックチャネルシンボル」は、明らかに補正後の発明の「誤り訂正符号を用いて符号化した信号」に含まれる。 
　
　更に、引用発明の「ブロックごとに、複数のトラフィックチャネルシンボルを割り当ててそれぞれ時間・周波数方向のＯＦＤＭシンボルにマッピングし」は、補正後の発明の「リソースブロックごとに、複数個の上記誤り訂正符号を用いて符号化した信号の一部を割り当ててそれぞれ時間・周波数にマッピングし」と、「ブロックごとに、複数個の上記誤り訂正符号を用いて符号化した信号の一部を割り当ててそれぞれ時間・周波数にマッピングし」で共通する。
　
　更に、引用発明の「ブロック内の一部の時間・周波数方向のＯＦＤＭシンボルに追加パイロットシンボルをマッピングして」は、補正後の発明の「リソースブロック内の一部の時間・周波数にパイロット信号を割り当て」と、「ブロック内の一部の時間・周波数にパイロット信号を割り当て」で共通する。
　
　そして、引用発明では「トラフィックチャネルシンボルの最大個数を生成した後、追加パイロットシンボルを伝送する位置では穴明き状態にする」ものであり、「トラフィックチャネルシンボルの最大個数を生成」し、ブロックの各「ＯＦＤＭシンボル」へ「トラフィックチャネルシンボル」の配置が完了した段階で、「追加パイロットシンボル」は配置されていないから、「トラフィックチャネルシンボル」の「ＯＦＤＭシンボル」へのマッピングは、追加パイロットシンボルのマッピングによらず不変である。
　また、ブロックの全ての「ＯＦＤＭシンボル」に「トラフィックチャネルシンボル」が配置された段階で、「追加パイロットシンボル」用の「穴明き」位置を決定しているから、「追加パイロットシンボル」のマッピングは、「トラフィックチャネルシンボル」のマッピングに拘束されていない。
　したがって、引用発明の「トラフィックチャネルシンボルの一部の時間・周波数方向のＯＦＤＭシンボルへのマッピングはトラフィックチャネルシンボルの最大個数を生成した後、追加パイロットシンボルを伝送する位置では穴明き状態にする」は、補正後の発明の「誤り訂正符号を用いて符号化した信号の一部の時間・周波数へのマッピングにおいてどの信号がどの時間・周波数にマッピングされるかは、上記パイロット信号の割り当てにおいて上記パイロット信号がどの時間・周波数にマッピングされるかによらず不変であり、かつ、上記パイロット信号がどの時間・周波数にマッピングされるかは、上記符号化した信号の一部の時間・周波数へのマッピングに拘束されない」に相当する。　
　
　したがって、補正後の発明と引用発明とを対比すると、両者は、以下の点で一致し、また、相違している。
　
（一致点）
　 
「複数のキャリアを用いて送信機と受信機とが通信を行い、１または複数のキャリア及び１または複数の時間シンボルを含むブロック単位に信号を分割し、誤り訂正符号を用いて符号化した信号を送信する情報送信方法であって、
　上記ブロックごとに、複数個の上記誤り訂正符号を用いて符号化した信号の一部を割り当ててそれぞれ時間・周波数にマッピングし、
　上記ブロック内の一部の時間・周波数にパイロット信号を割り当てて送信し、
　上記誤り訂正符号を用いて符号化した信号の一部の時間・周波数へのマッピングにおいてどの信号がどの時間・周波数にマッピングされるかは、上記パイロット信号の割り当てにおいて上記パイロット信号がどの時間・周波数にマッピングされるかによらず不変であり、かつ、上記パイロット信号がどの時間・周波数にマッピングされるかは、上記符号化した信号の一部の時間・周波数へのマッピングに拘束されない情報送信方法。」
 　
　
 （相違点）
　ブロックが、補正後の発明ではリソースブロックであるのに対して、引用発明では、リソースブロックであるかは不明な点。 
　　
　以下、上記相違点について検討する。
 
（相違点についての検討）
　 
　ＯＦＤＭＡシステムにおいて、時間方向の複数のシンボルからなるスロットと周波数方向の複数のキャリアから構成したブロックは「リソースブロック」として周知（例えば、特表２００６−５１５１４１号公報（特に、段落【００１３】参照。）等参照。）である。
　ここで、引用発明の「周波数方向に５個のＯＦＤＭシンボル及び時間軸方向に１７個のＯＦＤＭシンボルを含むブロック」は、引用例の上記（ウ）に「１７個のＯＦＤＭシンボルが１個のスロットを構成している」と記載されており、また、「周波数方向に５個のＯＦＤＭシンボル」は周波数方向の複数のキャリアであるから、引用発明の「ブロック」をＯＦＤＭＡシステムのリソースブロックとすることは当業者が容易に想到し得たものである。　　
　
　そして、補正後の発明の作用効果も、引用発明に基づいて当業者が予測できる範囲のものである。
　
　
　したがって、補正後の発明は、引用発明に基づいて当業者が容易に発明をすることができたものであるから、特許法第２９条第２項の規定により特許出願の際独立して特許を受けることができないものである。
　
　
３．結語
　以上のとおり、本件補正は、補正後の発明が特許出願の際独立して特許を受けることができないものであるから、平成１８年法律第５５号附則第３条第１項によりなお従前の例によるとされる同法による改正前の特許法第１７条の２第５項において準用する特許法第１２６条第５項の規定に適合していない。
 
　したがって、本件補正は、特許法第１５９条第１項において読み替えて準用する同法第５３条第１項の規定により却下すべきものである。
　
　
第３．本願発明について
　
１．本願発明
　
　平成２５年７月１９日付けの手続補正は上記のとおり却下されたので、本願発明は、上記「第２．補正却下の決定」の項中の「１．本願発明と補正後の発明」の項で「本願発明」として認定したとおりである。
　
　
２．引用発明
　
　引用発明は、上記「第２．補正却下の決定」の項中の「２．補正の適否」の項中の「（２）独立特許要件」の項中の「イ．引用発明」の項で認定したとおりである。
　 
　
３．対比・判断
　
　そこで、本願発明と引用発明とを対比するに、本願発明は上記補正後の発明から当該補正に係る限定を省いたものである。
　
　そうすると、本願発明の構成に当該補正に係る限定を付加した補正後の発明が、上記「第２．補正却下の決定」の項中の「２．補正の適否」の項中の「（２）独立特許要件」の項中の「ウ．対比・判断」の項で検討したとおり、引用発明に基づいて容易に発明できたものであるから、本願発明も同様の理由により、容易に発明できたものである。
　
　
４．むすび
　
　以上のとおり、本願発明は、引用発明に基づいて当業者が容易に発明をすることができたものと認められるから、特許法第２９条第２項の規定により、特許を受けることができない。